(57)【特許請求の範囲】
【請求項１】
筐体の内部と外部とを空間的に仕切る少なくとも二つのカバー部材を備える筐体構造において、
前記筐体の内部と外部とを繋ぎ、且つ、複数の迂回部を有する気体の経路を複数形成し、
この複数の気体の経路のうちの二つの気体の経路は、前記カバー部材の内部と外部とを連通する、前記二つのカバー部材の境目に形成された一つの筐体開口部を介して前記カバー部材の外部と連通し、
前記二つの気体の経路は、前記二つのカバー部材の内側に位置する内側部材と前記二つのカバー部材との間の隙間に形成され、
前記内側部材と、前記二つのカバー部材それぞれとで前記隙間を形成する部分に、前記内側部材から前記カバー部材に向けて突き出した内側部材突起部と、前記二つのカバー部材それぞれから前記内側部材に向けて突き出したカバー部材突起部とを備え、前記内側部材突起部と、前記二つのカバー部材の前記カバー部材突起部それぞれとの間で、前記経路それぞれが複数箇所の屈曲部を有することを特徴とする筐体構造。
【請求項２】
請求項１の筐体構造において、
前記隙間を形成する上記カバー部材の少なくとも一つが、回動軸を中心に回動して開閉する開閉カバー部材であることを特徴とする筐体構造。
【請求項３】
請求項１または２の筐体構造において、
前記内側部材との間に前記隙間を形成する前記カバー部材を複数備え、
前記隙間を形成する前記カバー部材のうちの二つが隣接して配置され、それぞれが回動軸を中心に回動して開閉する開閉カバー部材であり、
二つの前記開閉カバー部材はどちらからでも開閉が可能であることを特徴とする筐体構造。
【請求項４】
請求項２または３の何れかに記載の筐体構造において、
前記開閉カバー部材の閉鎖が完了した状態における前記開閉カバー部材の位置に対して、閉鎖時の押し込みによって移動し得る位置までの移動量である押し込み量よりも前記隙間が大きいことを特徴とする筐体構造。
【請求項５】
請求項２乃至４の何れかに記載の筐体構造において、
前記隙間は、部品公差及び可動部のクリアランスのばらつきを許容する大きさであることを特徴とする筐体構造。
【請求項６】
請求項１乃至５の何れかに記載の筐体構造において、
上記隙間を形成する上記カバー部材の少なくとも一つが、筐体構造本体に固定される固定カバー部材であることを特徴とする筐体構造。
【請求項７】
請求項１乃至６の何れかに記載の筐体構造において、
前記内側部材は、前記カバー部材の内側に位置し、その内部と外部とを空間的に仕切る内側カバー部材であることを特徴とする筐体構造。
【請求項８】
請求項７に記載の筐体構造において、
前記内側カバー部材の内部と外部とを連通する内側カバー開口部を複数備え、
複数の前記内側カバー開口部がそれぞれ異なる前記気体の経路を介して、前記カバー部材の外部と連通することを特徴とする筐体構造。
【請求項９】
請求項７または８の何れかに記載の筐体構造において、
前記内側カバー部材を複数備え、
隣接する前記内側カバー部材同士の間にその内部と外部とを連通する隙間が形成され、
前記二以上の気体の経路の少なくとも一つが、前記内側カバー部材同士の隙間に形成されていることを特徴とする筐体構造。
【請求項１０】
請求項１乃至９の何れかに記載の筐体構造において、
前記隙間は、部品公差のばらつきを許容する大きさであることを特徴とする筐体構造。
【請求項１１】
請求項１乃至１０の何れかに記載の筐体構造において、
前記迂回部が三箇所以上であることを特徴とする筐体構造。
【請求項１２】
請求項１乃至１１の何れかに記載の筐体構造において、
前記迂回部が前記筐体開口部の近傍に設けられていることを特徴とする筐体構造。
【請求項１３】
請求項１乃至１２の何れかに記載の筐体構造において、
前記カバー部材を複数備え、
前記筐体開口部は、隣接する前記カバー部材同士の間に形成された隙間であることを特徴とする筐体構造。
【請求項１４】
請求項１乃至１３の何れかに記載の筐体構造において、
前記気体の経路の断面積よりも前記筐体開口部の開口面積の方が大きいことを特徴とする筐体構造。
【請求項１５】
動作時に音を発生する音源装置と、前記音源装置を覆う筐体とを備えた電子機器において、
前記筐体として、請求項１乃至１４の何れかに記載の筐体構造を用いることを特徴とする電子機器。
【請求項１６】
電子写真方式の画像形成装置において、
請求項１５に記載の電子機器の構成を備えたことを特徴とする画像形成装置。
【発明の詳細な説明】
【技術分野】
【０００１】
本発明は、筐体構造、電子機器及び画像形成装置に関する。
【背景技術】
【０００２】
従来、画像形成装置として、筐体の内部と外部とを空間的に仕切るカバー部材を備え、装置駆動時に各種駆動部が発生する熱によって加熱された筐体内部の気体を、筐体外部に排出するものが知られている。
【０００３】
特許文献１には、カバー部材にルーバーを備えた開口部を設け、この開口部から装置内部の熱気を装置外部に排出する構成が記載されている。
【発明の概要】
【発明が解決しようとする課題】
【０００４】
しかしながら、画像形成装置の各種駆動部は駆動時に熱が発生するだけでなく、音も発生する。加熱された筐体内部の気体を筐体外部に排出する開口部等の気体の経路を設けると、この気体の経路から音も外部に漏れてしまい、漏れた音が騒音となるおそれがある。
このような問題は、画像形成装置に限らず、筐体の内部と外部とを空間的に仕切るカバー部材を備える筐体構造であれば生じ得る問題である。
【課題を解決するための手段】
【０００５】
上述した課題を解決するために、請求項１の発明は、筐体の内部と外部とを空間的に仕切る少なくとも二つのカバー部材を備える筐体構造において、前記筐体の内部と外部とを繋ぎ、且つ、複数の迂回部を有する気体の経路を複数形成し、この複数の気体の経路のうちの二以上の気体の経路が、前記カバー部材の内部と外部とを連通する、前記二つのカバー部材の境目に形成された一つの筐体開口部を介して前記カバー部材の外部と連通し、前記二以上の気体の経路のそれぞれが、前記二つのカバー部材の内側に位置する内側部材と前記二つのカバー部材との間の隙間に形成され、前記内側部材と、前記二つのカバー部材それぞれとで前記隙間を形成する部分に、前記内側部材から前記カバー部材に向けて突き出した内側部材突起部と、前記二つのカバー部材それぞれから前記内側部材に向けて突き出したカバー部材突起部とを備え、前記内側部突起部と、前記二つのカバー部材の前記カバー部材突起部それぞれとの間で、前記経路それぞれが複数箇所の屈曲部を有することを特徴とするものである。
【発明の効果】
【０００６】
本発明によれば、カバー部材を備える筐体構造で、筐体内部の温度上昇を抑制しつつ音漏れを抑制することができるという優れた効果がある。
【図面の簡単な説明】
【０００７】
【図１】実施例１の前面開閉カバーと右側面開閉カバーとの境目の拡大水平断面図。
【図２】本発明の一実施形態に係るプリンタの概略構成図。
【図３】同プリンタにおけるプロセスユニットの概略構成図。
【図４】前面カバーと、右側面カバーとがそれぞれ開閉カバー部材を有する構成の一例を模式的に示すプリンタの斜視説明図。
【図５】実施例２の前面開閉カバーと右側面開閉カバーとの境目の拡大水平断面図。
【図６】左側面カバーが複数枚の外装カバーによって形成されたプリンタの斜視説明図。
【図７】第一経路及び第二経路の迂回部が湾曲部となっている構成の前面開閉カバーと右側面開閉カバーとの境目の拡大水平断面図。
【発明を実施するための形態】
【０００８】
以下、本発明を適用した画像形成装置として、電子写真方式のプリンタ（以下、単に「プリンタ１００」という。）の一実施形態について説明する。
まず、本実施形態に係るプリンタ１００の基本的な構成について説明する。
図２は、プリンタ１００を示す概略構成図であるプリンタ１００は、ブラック、シアン、マゼンタ、イエロー（以下、Ｋ、Ｃ、Ｍ、Ｙと記す）のトナー像を形成するための四つのプロセスユニット２６（Ｋ，Ｃ，Ｍ，Ｙ）を備えている。これらは、画像形成物質として、互いに異なる色のＫ，Ｃ，Ｍ，Ｙトナーを用いるが、それ以外は同様の構成になっており、寿命到達時に交換される。
【０００９】
図３は、四つのプロセスユニット２６のうちの一つの拡大説明図である。四つのプロセスユニット２６は使用するトナーの色が異なる点以外は同様であるため、図３では使用するトナーの色を示す添え字（Ｋ，Ｃ，Ｍ，Ｙ）は省略している。
図３に示すように、プロセスユニット２６は、潜像担持体としてのドラム状の感光体２４、感光体クリーニング装置８３、除電装置及び帯電装置２５を保持する感光体ユニット１０と、現像ユニット２３とを備えている。画像形成ユニットとしてのプロセスユニット２６は、プリンタ１００本体に脱着可能であり、一度に消耗部品を交換できるようになっている。
【００１０】
帯電装置２５は、駆動手段によって図中時計回りに回転駆動される感光体２４の表面を一様帯電する。一様帯電された感光体２４の表面は、後述する光書込ユニット２７が照射するレーザー光Ｌによって露光走査されて各色用の静電潜像を担持する。この静電潜像は、トナーを用いる現像ユニット２３によってトナー像に現像される。そして、中間転写ベルト２２上に一次転写される。
【００１１】
感光体クリーニング装置８３は、一次転写工程を経た後の感光体２４表面に付着している転写残トナーを除去する。また、除電装置は、クリーニング後の感光体２４の残留電荷を除電する。この除電により、感光体２４の表面が初期化されて次の画像形成に備えられる。
【００１２】
現像ユニット２３は、現像剤としてのトナーを収容する縦長のホッパ部８６と、現像部８７とを有している。現像剤収容部としてのホッパ部８６内には、駆動手段によって回転駆動されるアジテータ８８、これの鉛直方向下方で駆動手段によって回転駆動される現像剤供給部材としてのトナー供給ローラ８０などが配設されている。ホッパ部８６内のトナーは、アジテータ８８の回転駆動によって撹拌されながら、自重によってトナー供給ローラ８０に向けて移動する。トナー供給ローラ８０は、金属製の芯金と、これの表面に被覆された発泡樹脂等からなるローラ部とを有しており、ホッパ部８６内下側に溜まったトナーをローラ部の表面に付着させながら回転する。
【００１３】
現像ユニット２３の現像部８７内には、感光体２４やトナー供給ローラ８０に当接しながら回転する現像ローラ８１や、これの表面に先端を当接させる薄層化ブレード８２などが配設されている。ホッパ部８６内のトナー供給ローラ８０に付着したトナーは、現像ローラ８１とトナー供給ローラ８０との当接部で現像ローラ８１の表面に供給される。供給されたトナーは、現像ローラ８１の回転に伴って現像ローラ８１と薄層化ブレード８２との当接位置を通過する際に、現像ローラ８１表面上での層厚が規制される。そして、層厚規制後のトナーは、現像ローラ８１と感光体２４との当接部である現像領域において、感光体２４表面上の静電潜像に付着する。この付着により、静電潜像がトナー像に現像される。
【００１４】
このようなトナー像の形成が、各プロセスユニット２６で行われ、各色のトナー像が各プロセスユニット２６のそれぞれの感光体２４上に形成される。
【００１５】
図２に示すように、四つのプロセスユニット２６の鉛直方向上方には、光書込ユニット２７が配設されている。潜像書込装置としての光書込ユニット２７は、画像情報に基づいてレーザーダイオードから発したレーザー光Ｌにより、四つのプロセスユニット２６におけるそれぞれの感光体２４を光走査する。この光走査により、感光体２４上に各色用の静電潜像が形成される。かかる構成においては、光書込ユニット２７と、四つのプロセスユニット２６とにより、四つの感光体２４のそれぞれ互いに異なる色の可視像としてのＫ，Ｃ，Ｍ，Ｙトナー像を作像する作像手段として機能している。
【００１６】
光書込ユニット２７は、ポリゴンモータによって回転駆動したポリゴンミラーによって光源から発したレーザー光Ｌを主走査方向に偏光しながら、複数の光学レンズやミラーを介して感光体２４に照射するものである。光書込ユニット２７としては、ＬＥＤアレイの複数のＬＥＤから発したＬＥＤ光によって光書込を行うものを採用してもよい。
【００１７】
四つのプロセスユニット２６の鉛直方向下方には、無端状の中間転写ベルト２２を張架しながら図中反時計回り方向に無端移動させるベルト装置としての転写ユニット７５が配設されている。転写ユニット７５は、中間転写ベルト２２の他に、駆動ローラ７６、テンションローラ２０、四つの一次転写ローラ７４（Ｋ，Ｃ，Ｍ，Ｙ）、二次転写ローラ２１、ベルトクリーニング装置７１、クリーニングバックアップローラ７２などを備えている。
【００１８】
ベルト部材であり、転写ベルトである中間転写ベルト２２は、そのループ内側に配設された駆動ローラ７６、テンションローラ２０、クリーニングバックアップローラ７２及び四つの一次転写ローラ７４（Ｋ，Ｃ，Ｍ，Ｙ）によって張架されている。そして、駆動手段によって図中反時計回り方向に回転駆動される駆動ローラ７６の回転力により、同方向に無端移動される。
【００１９】
四つの一次転写ローラ７４（Ｋ，Ｃ，Ｍ，Ｙ）は、このように無端移動される中間転写ベルト２２を感光体２４（Ｋ，Ｃ，Ｍ，Ｙ）との間に挟み込んでいる。この挟み込みにより、中間転写ベルト２２のおもて面と、感光体２４（Ｋ，Ｃ，Ｍ，Ｙ）とが当接するＫ，Ｃ，Ｍ，Ｙ用の四箇所の一次転写ニップが形成されている。
【００２０】
一次転写ローラ７４（Ｋ，Ｃ，Ｍ，Ｙ）には、転写バイアス電源によってそれぞれ一次転写バイアスが印加されており、これにより、感光体２４（Ｋ，Ｃ，Ｍ，Ｙ）の静電潜像と、一次転写ローラ７４（Ｋ，Ｃ，Ｍ，Ｙ）との間に転写電界が形成される。なお、一次転写ローラ７４に代えて、転写チャージャーや転写ブラシなどを採用してもよい。
【００２１】
イエロー用プロセスユニット２６Ｙのイエロー用感光体２４Ｙ表面に形成されたＹトナーは、イエロー用感光体２４Ｙの回転に伴って上述のＹ用の一次転写ニップに進入する。Ｙ用の一次転写ニップでは、転写電界やニップ圧の作用により、Ｙトナーは、イエロー用感光体２４Ｙ上から中間転写ベルト２２上に一次転写される。このようにしてＹトナー像が一次転写された中間転写ベルト２２は、その無端移動に伴ってＭ，Ｃ，Ｋ用の一次転写ニップを通過する際に、感光体２４（Ｍ，Ｃ，Ｋ）上のＭ，Ｃ，Ｋトナー像が、Ｙトナー像上に順次重ね合わせて一次転写される。この重ね合わせの一次転写により、中間転写ベルト２２上には四色トナー像が形成される。
【００２２】
転写ユニット７５の二次転写ローラ２１は、中間転写ベルト２２のループ外側に配設されて、ループ内側のテンションローラ２０との間に中間転写ベルト２２を挟み込んでいる。この挟み込みにより、中間転写ベルト２２のおもて面と、二次転写ローラ２１とが当接する二次転写ニップが形成されている。二次転写ローラ２１には、転写バイアス電源によって二次転写バイアスが印加される。この印加により、二次転写ローラ２１と、アース接続されているテンションローラ２０との間には、二次転写電界が形成される。
【００２３】
転写ユニット７５の鉛直方向下方には、記録紙を複数枚重ねた紙束の状態で収容している給紙カセット４１がプリンタ１００の筐体に対してスライド着脱可能に配設されている。この給紙カセット４１は、紙束の一番上の記録紙に給紙ローラ４２を当接させており、これを所定のタイミングで図中反時計回り方向に回転させることで、その記録紙を給紙路に向けて送り出す。
【００２４】
給紙路の末端付近には、二つのレジストローラから構成されるレジストローラ対４３が配設されている。このレジストローラ対４３は、給紙カセット４１から送り出された記録部材としての記録紙をローラ間に挟み込むとすぐに両ローラの回転を停止させる。そして、挟み込んだ記録紙を上述の二次転写ニップ内で中間転写ベルト２２上の四色トナー像に同期させ得るタイミングで回転駆動を再開して、記録紙を二次転写ニップに向けて送り出す。
【００２５】
二次転写ニップで記録紙に密着された中間転写ベルト２２上の四色トナー像は、二次転写電界やニップ圧の影響を受けて記録紙上に一括二次転写され、記録紙の白色と相まって、フルカラートナー像となる。このようにして表面にフルカラートナー像が形成された記録紙は、二次転写ニップを通過すると、二次転写ローラ２１や中間転写ベルト２２から曲率分離する。そして、転写後搬送路を経由して、定着手段としての定着装置４０に送り込まれる。
【００２６】
二次転写ニップを通過した後の中間転写ベルト２２には、記録紙に転写されなかった転写残トナーが付着している。これは、中間転写ベルト２２のおもて面に当接しているベルトクリーニング装置７１によってベルト表面からクリーニングされる。中間転写ベルト２２のループ内側に配設されたクリーニングバックアップローラ７２は、ベルトクリーニング装置７１によるベルトのクリーニングをループ内側からバックアップする。
【００２７】
定着装置４０には、ハロゲンランプ等の発熱源４５ａを内包する定着ローラ４５と、定着ローラ４５に所定の圧力で当接しながら回転する加圧ローラ４７とが設けられており、定着ローラ４５と加圧ローラ４７とによって定着ニップを形成している。定着装置４０内に送り込まれた記録紙は、その未定着トナー像担持面を定着ローラ４５に密着させるようにして、定着ニップに挟まれる。そして、加熱や加圧の影響によってトナー像中のトナーが軟化されて、フルカラー画像が定着される。
【００２８】
片面プリントモードが設定されている場合には、定着装置４０内から排出された記録紙は、そのまま機外へと排出される。そして、筐体の上カバー５６の上面で構成するスタック部にスタックされる。
【００２９】
プリンタ１００の筺体の上カバー５６は、図２中の矢印Ａで示すように、上カバー軸部材５１を中心にして回動自在に支持されており、図２中の反時計回り方向に回転することで、プリンタ１００の筺体に対して開いた状態になる。そして、プリンタ１００の筺体の上部開口を大きく露出させる。また、光書込ユニット２７も上カバー軸部材５１を中心に回動自在に支持されており、光書込ユニット２７を図２中の反時計回り方向に回転させることで、四つのプロセスユニット２６（Ｋ，Ｃ，Ｍ，Ｙ）の上面を露出させることができる。
【００３０】
プロセスユニット２６（Ｋ，Ｃ，Ｍ，Ｙ）は、上カバー５６および光書込ユニット２７を開放して着脱が行われる。具体的には、上カバー５６および光書込ユニット２７を開放してプロセスユニット２６（Ｋ，Ｃ，Ｍ，Ｙ）の上面を露出させた後、プロセスユニット２６（Ｋ，Ｃ，Ｍ，Ｙ）を鉛直上方向に引き抜くことにより、本体から取り出される。
【００３１】
着脱頻度高いプロセスユニット２６を上カバー５６および光書込ユニット２７を開放して行うことで、しゃがんだり、腰を曲げたり、かがんだりなどといった無理な姿勢をとることなく、筺体内を上側から眺めながら着脱操作を確認することができる。よって、作業負担を軽減したり、操作ミスの発生を抑えたりすることができる。
【００３２】
また、本実施形態では、感光体ユニット１０と現像ユニット２３とを備えたプロセスユニット２６をプリンタ１００本体から着脱可能にしているが、現像ユニット２３、感光体ユニット１０をそれぞれ別々にプリンタ１００本体から着脱可能にしてもよい。
【００３３】
図４は、プリンタ１００の図２中の手前側の面を覆う前面カバー１２０と、右側面を覆う右側面カバー１３０とがそれぞれ開閉カバー部材を有する構成の一例を模式的に示すプリンタ１００の斜視説明図である。
また、プリンタ１００では、画像形成に用いる各装置を支持し、装置の骨組みを構成する本体フレームを備え、メンテナンスやパーツ交換等を行うために、複数の外装カバーを取り外し可能な状態で、本体フレームにねじ締結で固定している。本体フレームとしては鉄やアルミニウム等の金属製のものを挙げることができるが、金属製に限らず、各装置を支持する剛性を保てる材料からなるものであればよい。
【００３４】
前面カバー１２０は、固定カバー部材として本体フレームに固定される前面上カバー１２１及び前面下カバー１２３と、開閉カバー部材として前カバー回動軸１２２ａを中心に回動可能な前面開閉カバー１２２とを備える。
右側面カバー１３０は、固定カバー部材として本体フレームに固定される右側面上カバー１３１と、開閉カバー部材として右側面カバー回動軸１３２ａを中心に回動可能な右側面開閉カバー１３２とを備える。
前面開閉カバー１２２は、前カバー回動軸１２２ａを中心に図４中の矢印Ｆ方向に回動させることで開放することができ、右側面開閉カバー１３２は、右側面カバー回動軸１３２ａを中心に図４中の矢印Ｇ方向に回動させることで開放することができる。
【００３５】
〔実施例１〕
次に、本発明を適用した筐体構造の一つ目の実施例（以下、「実施例１」という）について説明する。
図１は、実施例１のプリンタ１００の前面開閉カバー１２２と右側面開閉カバー１３２との境目を上方から見た拡大水平断面図である。
図１中の矢印Ｆ及びＧは、図４を用いて説明した前面開閉カバー１２２と右側面開閉カバー１３２とを開放する際の回動方向を示している。
【００３６】
右側面開閉カバー１３２は、前面開閉カバー１２２側の端部よりも少しだけ前面開閉カバー１２２から離れた位置に、装置の内側向けて突出した右側面開閉カバー突出部１３２ｂを備える。一方、前面開閉カバー１２２は、右側面開閉カバー１３２側の端部から順に装置の内側向けて突出した前面開閉カバー第一突出部１２２ｂ及び前面開閉カバー第二突出部１２２ｃを備える。
【００３７】
図１に示すように、前面開閉カバー１２２と右側面開閉カバー１３２とは異なる方向に開閉し、前面開閉カバー１２２と右側面開閉カバー１３２との境目に装置内部からの音や空気の流れの出口となる外装カバー開口部５を形成している。
また、プリンタ１００は、二つの外装カバー（前面開閉カバー１２２及び右側面開閉カバー１３２）の内側に、本体フレームに固定された内装カバー１を備える。内装カバー１の内側には、定着装置４０や光書込ユニット２７等の画像形成に用いる各装置が配置されており、外装カバーを開放しただけでは、各装置が露出しない構成となっている。
【００３８】
内装カバー１と、右側面開閉カバー１３２との間には隙間があり、この隙間によって装置内部の熱や音が外装カバー開口部５に向かう第一経路Ｒ１を形成する。また、内装カバー１と、前面開閉カバー１２２との間にも隙間があり、この隙間によって装置内部の熱や音が外装カバー開口部５に向かう第二経路Ｒ２を形成する。第一経路Ｒ１及び第二経路Ｒ２は、内装カバー１の内部と外装カバーの外部とを繋ぎ、音や熱が伝達する空気の経路が直角に変化する屈曲部を三箇所以上有する。これにより、屈曲部が二箇所のものよりも外部に漏れようとする音を回折させることができ、音漏れ防止の効果を向上させることができる。
プリンタ１００では、内装カバー１における右側面開閉カバー１３２と対向する面に第一内装開口部１１を設け、前面開閉カバー１２２と対向する面に第二内装開口部１２を設けている。
【００３９】
定着装置４０は、発熱源４５ａを有する熱源であり、定着装置４０内やその周りには複数のローラが配置され、駆動時にはそれらが音源となる。定着装置４０及びその周辺から発生した熱や音は、内装カバー１の内側から第一内装開口部１１を通って内装カバー１と右側面開閉カバー１３２との隙間に伝達し、この隙間によって形成される第一経路Ｒ１を通って外装カバー開口部５から装置外部に排出される。
光書込ユニット２７は、ポリゴンモータによってポリゴンミラーを高速回転させることで、熱と音とが発生する。光書込ユニット２７から発生した熱や音は、内装カバー１の内側から第二内装開口部１２を通って内装カバー１と前面開閉カバー１２２との隙間に伝達し、この隙間によって形成される第二経路Ｒ２を通って外装カバー開口部５から装置外部に排出される。
【００４０】
第一内装開口部１１及び第二内装開口部１２のように、内装カバー１の内部と外部とを連通する等の内側カバー開口部を複数備える。さらに、各内側カバー開口部は、それぞれ第一経路Ｒ１及び第二経路Ｒ２といった異なる空気の経路を介して外装カバー開口部５に連通している。これにより、内装カバー１内の熱源に近い内側カバー開口部から内装カバー１の外に排熱し、さらにとこの内側カバー開口部に連通する空気の経路を介して、外装カバー開口部５から装置外部に排熱することができる。これにより、内装カバー１の内側に熱が篭ることを防止し、内装カバー１の内部の温度上昇を抑制することができる。
【００４１】
プリンタ１００では、各種ローラに回転駆動を伝達する駆動モータの駆動音や、各種ローラ等の移動部材の移動音、光書込ユニット２７のポリゴンミラーの回転音等の様々な音が発生する。このような音がプリンタ１００の外部に伝達し、周辺の人に不快感を与える騒音となるおそれがある。プリンタ１００の外部と内部とを空間的に仕切る外装カバー（前面開閉カバー１２２及び右側面開閉カバー１３２）は、内部で発生した音が外部に伝達することを抑制し、騒音の発生を抑制することができる。
【００４２】
図１に示すように、前面開閉カバー１２２及び右側面開閉カバー１３２と内装カバー１との間にはそれぞれ隙間があり、第一経路Ｒ１及び第二経路Ｒ２が形成されている。第一経路Ｒ１や第二経路Ｒ２は空気が通過できるため、プリンタ１００の内部で生じた熱は第一経路Ｒ１や第二経路Ｒ２を介して外部に放出することができ、プリンタ１００の内部の温度上昇を抑制することができる。
また、第一経路Ｒ１及び第二経路Ｒ２は複数箇所の屈曲部を有するラビリンス形状となっている。このため、プリンタ１００の内部で発生し第一経路Ｒ１または第二経路Ｒ２を通過して外部に向かおうとする音は、複数回回折しないとプリンタ１００の外部に出ることができない。音は回折する度に減衰するため、内部から外部に向かう音を複数回回折させることで、音漏れを抑制することができる。
【００４３】
また、複数箇所の屈曲部を有する複雑なラビリンス形状では、空気の流れが通過し難く流量が減少する。これに対して、プリンタ１００では、第一経路Ｒ１と第二経路Ｒ２との複数の空気の経路を有することにより、装置の内部から外部に向かう空気の流量を確保することができる。これにより、空気の経路にラビリンス形状を設けた構成であっても排熱効率を維持することができる。
さらに、第一経路Ｒ１と第二経路Ｒ２が装置の外部と連通する外装カバー開口部５を一つとすることで、装置の内部で発生した音が外部に漏れ出る筐体開口部を少なくできる。これにより、複数の空気の経路のそれぞれが個別の筐体開口部を介して外部と連通する構成よりも音漏れを抑制することができる。
このように、実施例１のプリンタ１００では、装置の内部から外部に向かう空気の流れを確保することで装置内部の温度上昇を防ぎながら、音漏れを抑制することができる。
【００４４】
プリンタ１００のような画像形成装置では、ジャム処理や用紙の追加などの際に開閉する前面開閉カバー１２２や右側面開閉カバー１３２のような開閉カバー部材を設ける必要がある。このような開閉カバー部材と他の外装カバーとの間の隙間から装置内部で発生した音が外部に漏れると騒音の原因となる。開閉カバー部材と他の外装カバーとを重ねて接触させる構成で隙間が生じない構成としようとすると、部品の僅かな精度誤差で外装カバー同士のかじりが生じたり、突き当たりが生じたりするおそれがある。
【００４５】
このため、開閉カバー部材と他の外装カバーとを重ねて接触させる構成で隙間が生じない構成とすることは困難であり、隙間が生じないようにするためには、スポンジ等の弾性部材を開閉カバー部材と他の外装カバーとの境目となる部分に設ける必要ある。弾性部材を外装カバーに追加することは部品点数の増加となり、製造コストが増加するおそれがある。また、隙間を備えていないため、開閉カバー部材と他の外装カバーとの境目から装置内部の熱を外部に逃がすことができない。
【００４６】
これに対して、プリンタ１００では、開閉カバー部材と他の外装カバーとの境目を外装カバー開口部５とし、装置内部から外装カバー開口部５まで音が伝達する第一経路Ｒ１及び第二経路Ｒ２をラビリンス形状としている。このような構成により、装置内部の音が外部に漏れ出ることを抑制しつつ、プリンタ１００の内部の熱を第一経路Ｒ１または第二経路Ｒ２を通じて外装カバー開口部５から逃がして、温度上昇を抑制することができる。また、外装カバー同士の境目となる部分に弾性部材を配置することが不要となるので、製造コストの増加を抑制することができる。
【００４７】
また、前面開閉カバー１２２及び右側面開閉カバー１３２と内装カバー１との間の隙間に第一経路Ｒ１及び第二経路Ｒ２を形成することで、これらの空気の経路を形成するために新たな部材を設ける必要がない。これにより、ラビリンス形状を備えた空気の経路を設けるコストを抑制することができる。
また、前面開閉カバー１２２及び右側面開閉カバー１３２等の開閉カバー部材は、開放することによって露出する内装カバー１等の内側部材との間に隙間を形成する必要がある。この隙間に第一経路Ｒ１及び第二経路Ｒ２を形成することで、これらの空気の経路を形成するために新たな部材を設ける必要がなく、ラビリンス形状を備えた空気の経路を設けるコストを抑制することができる。
【００４８】
また、前面開閉カバー１２２と右側面開閉カバー１３２とのように、空気の経路となる隙間を形成する外装カバーが両方とも開閉カバー部材である場合、どちらからも開閉可能にしなければ使い勝手に悪影響を与える。また、開閉カバー部材同士が隣接する部分では、他の外装カバー同士が隣接する部分に比べて可動域を考え隙間を大きくするため、音漏れが大きくなる傾向にある。そのような場合においても、開閉カバー部材同士の境目を外装カバー開口部５とし、この外装カバー開口部５に繋がる空気の経路を、ラビリンス形状を有する第一経路Ｒ１及び第二経路Ｒ２とすることで、音を複数回折させ、音漏れを減少させることができる。
【００４９】
開閉カバー部材の閉鎖時に開閉カバー部材と内装カバー１とが接触しない第一経路Ｒ１及び第二経路Ｒ２の幅としては次のように設定する。すなわち、前面開閉カバー１２２の閉鎖が完了した状態では、前面開閉カバー１２２は図１で示す位置となる。前面開閉カバー１２２に必要以上の大きな力を作用させて閉鎖した場合、本体フレーム等の突き当て部材に突き当たった前面開閉カバー１２２はさらに弾性変形して、図１に示す状態よりも内装カバー１側の位置まで移動する。この際、図１に示す状態での第二経路Ｒ２の幅が図１に示す状態よりも前面開閉カバー１２２が内装カバー１側の位置まで移動したときの移動量よりも大きくなるように設定する。
【００５０】
図１に示す状態よりも前面開閉カバー１２２が内装カバー１側の位置まで移動したときの移動量としては、前面開閉カバー１２２が弾性変形し得る範囲で変形量が最大となったときの移動量を設定することが望ましい。弾性変形し得る範囲で変形量が最大となる範囲を超えて前面開閉カバー１２２が変形した場合は、前面開閉カバー１２２が塑性変形して破損した状態であり、継続使用ができない状態であるので考慮は不要である。これに対して、弾性変形し得る範囲であれば、前面開閉カバー１２２は破損した状態ではなく、継続して使用が可能な状態である。よって、前面開閉カバー１２２が弾性変形し得る範囲で変形量が最大となったときの移動量を図１に示す状態よりも前面開閉カバー１２２が内装カバー１側の位置まで移動したときの移動量に設定する。これにより、継続使用可能な範囲で前面開閉カバー１２２が変形しても第二経路Ｒ２を形成すべき部分が内装カバー１と接触することを防止することができる。また、右側面開閉カバー１３２と第一経路Ｒ１との関係も同様である。
【００５１】
実施例１のプリンタ１００では、第一経路Ｒ１及び第二経路Ｒ２を形成する隙間は、右側面開閉カバー１３２、前面開閉カバー１２２及び内装カバー１等の部品公差及び可動部のクリアランスのばらつきを許容する大きさに設定されている。すなわち、部品公差や可動部のクリアランスが隙間を最も狭める条件となっていても、隙間が右側面開閉カバー１３２または前面開閉カバー１２２と内装カバー１とによって閉鎖されないような値に隙間は設定されている。
これにより、隙間によって形成される第一経路Ｒ１及び第二経路Ｒ２から熱を逃がすことができ、プリンタ１００の内部の温度上昇を抑制することができる。
【００５２】
プリンタ１００のように内装カバー１を備えることで、右側面開閉カバー１３２や前面開閉カバー１２２を開放しても、画像形成に用いる各装置が露出しない構成を実現出来る。
図１に示すように、第一経路Ｒ１及び第二経路Ｒ２のラビリンス形状は、外装カバー開口部５の近傍に設けられている。これにより、熱が滞り易いラビリンス形状を筐体開口部近傍とし、第一経路Ｒ１及び第二経路Ｒ２における筐体の内部側の温度上昇を抑制することができる。
【００５３】
内部と外部とを繋ぐ経路にラビリンス形状を設ける構成としては、隣接する外装カバー同士の境界となる隙間にラビリンス形状を形成する構成が考えられる。しかし、外装カバー同士の隙間にラビリンス形状を設けようとすると、ラビリンスを形成する分、外装カバーの厚み分が増えてしまい、画像形成装置全体の大型化に繋がるおそれがある。
【００５４】
また、実施例１のように、隣接する外装カバーが共に開閉カバー部材である場合は、次のような問題が生じ得る。すなわち、開閉可能なカバー部材は移動するためにある程度ガタが必要であるが、ラビリンス形状を設ける隙間は開閉カバー部材の二つ分のガタの影響を受ける。ガタのバラツキが大きいと、ラビリンス形状として成り立たないほど、隙間が広くなったり、開閉カバー部材同士が接触して、隙間が形成されなかったりするおそれがある。そして、隙間を精度良く確保するために、ガタのバラツキを小さくしようとすると、部品精度を高める必要がある。
これに対して、ラビリンス形状を設ける隙間を、一つの開閉カバー部材と一つの固定部材（内装カバー１等）によって形成することで、隙間に影響を与えるガタを開閉カバー部材の一つ分のガタに抑えることができる。
【００５５】
〔実施例２〕
次に、本発明を適用した筐体構造の二つ目の実施例（以下、「実施例２」という）について説明する。
図５は、実施例２のプリンタ１００の前面開閉カバー１２２と右側面開閉カバー１３２との境目を上方から見た拡大水平断面図である。
【００５６】
実施例２のプリンタ１００は、実施例１の内装カバー１の代わりに、前面開閉カバー１２２と対向する前面内装カバー１８と、右側面開閉カバー１３２と対向する右側面内装カバー１９との二つの内側部材を備える。前面内装カバー１８及び右側面内装カバー１９は本体フレームに固定されている。第一内装開口部１１は右側面内装カバー１９に設け、第二内装開口部１２は前面内装カバー１８に設けている。
【００５７】
実施例２のプリンタ１００は、実施例１と同様に、前面開閉カバー１２２と右側面開閉カバー１３２との境目に装置内部からの音や空気の流れの出口となる外装カバー開口部５を形成している。
右側面内装カバー１９と、右側面開閉カバー１３２との間には隙間があり、この隙間によって装置内部の熱や音が外装カバー開口部５に向かう第一経路Ｒ１を形成する。また、前面内装カバー１８と、前面開閉カバー１２２との間にも隙間があり、この隙間によって装置内部の熱や音が外装カバー開口部５に向かう第二経路Ｒ２を形成する。さらに、実施例２のプリンタ１００では、前面内装カバー１８と右側面内装カバー１９との間に隙間があり、この隙間によって装置内部の熱や音が外装カバー開口部５に向かう第三経路Ｒ３を形成する。第一経路Ｒ１、第二経路Ｒ２及び第三経路Ｒ３は音や熱の経路が直角に変化する屈曲部を三箇所以上有する。
【００５８】
実施例２のプリンタ１００では、第一経路Ｒ１、第二経路Ｒ２及び第三経路Ｒ３は空気が通過できる。このため、プリンタ１００の内部で生じた熱は第一経路Ｒ１、第二経路Ｒ２または第三経路Ｒ３を介して外部に放出することができ、プリンタ１００の内部の温度上昇を抑制することができる。
また、第一経路Ｒ１、第二経路Ｒ２及び第三経路Ｒ３は複数箇所の屈曲部を有するラビリンス形状となっている。このため、プリンタ１００の内部で発生し第一経路Ｒ１、第二経路Ｒ２または第三経路Ｒ３を通過して外部に向かおうとする音は、複数回回折しないとプリンタ１００の外部に出ることができない。音は回折する度に減衰するため、内部から外部に向かう音を複数回回折させることで、音漏れを抑制することができる。
【００５９】
上述したように、複数箇所の屈曲部を有する複雑なラビリンス形状では、空気の流れが通過し難く流量が減少する。実施例２のプリンタ１００では、第一経路Ｒ１及び第二経路Ｒ２に加えて第三経路Ｒ３を備え、実施例１よりも多くの空気の経路を有する。これにより、装置の内部から外部に向かう空気の流量をより多く確保することができ、空気の経路にラビリンス形状を設けた構成であっても排熱効率を維持することができる。
【００６０】
さらに、第一経路Ｒ１、第二経路Ｒ２及び第三経路Ｒ３の三つの空気の経路が装置の外部と連通する外装カバー開口部５を一つとしている。これにより、装置の内部で発生した音が外部に漏れ出る筐体開口部を少なくでき、三つの空気の経路のそれぞれが個別の筐体開口部を介して外部と連通する構成よりも音漏れを抑制することができる。
このように、実施例２のプリンタ１００では、装置の内部から外部に向かう空気の流れを確保することで装置内部の温度上昇を防ぎながら、音漏れを抑制することができる。
【００６１】
実施例１及び実施例２の外装カバー開口部５の図で示す断面における幅は、各空気の経路（第一経路Ｒ１、第二経路Ｒ２及び第三経路Ｒ３）の幅よりも広く設定されている。よって、第一経路Ｒ１及び第二経路Ｒ２の断面積よりも外装カバー開口部５の開口面積の方が大きくなる。これにより、空気の経路が合流する構成であっても、出口となる外装カバー開口部５近傍で空気の流れが滞ることを抑制し、排熱効率を維持することができる。実施例１及び実施例２のプリンタ１００では、各空気の経路の幅は３．０［ｍｍ］であり、外装カバー開口部５の幅は４．０［ｍｍ］であるが、これに限るものではない。
また、各空気の経路の幅と外装カバー開口部５の幅とを同じに設定してもよいし、外装カバー開口部５の幅の方を狭く設定してもよい。
【００６２】
図６は、プリンタ１００の図２中における左側面を覆う左側面カバー１１０が複数枚の外装カバーによって形成された構成の一例を模式的に示すプリンタ１００の斜視説明図である。
図６に示すように、左側面カバー１１０は、第一左側面カバー１１１、第二左側面カバー１１２、第三左側面カバー１１３及び第四左側面カバー１１４の四枚の外装カバーによって形成される。これら四枚の外装カバーは、固定カバー部材として本体フレームに固定される。
【００６３】
固定カバー部材と内側部材との間に形成される隙間は、固定カバー部材及び内側部材の部品公差のばらつきを許容する大きさに設定されている。すなわち、部品公差が空気の経路を形成する隙間を最も狭める条件となっていても、空気の経路が固定カバー部材と内側部材とによって閉鎖されないような値に隙間は設定されている。
これにより、固定カバー部材と内側部材との間に形成される隙間の空気の経路から熱を逃がすことができ、プリンタ１００の内部の温度上昇を抑制することができる。
【００６４】
上述した実施例１及び実施例２では、開閉カバー部材と、内側部材との間の隙間に、ラビリンス形状を備えた複数の空気の経路を形成する構成について説明した。内側部材との間の隙間にラビリンス形状を備えた空気の経路を形成するカバー部材としては、開閉カバー部材に限らず、本体フレームに固定された固定カバー部材であってもよい。空気の経路を形成するカバー部材が固定カバー部材の場合、開閉カバー部材よりも内側部材との位置精度を高めることができ、空気の経路の幅の誤差を小さくすることができる。
【００６５】
上述した実施例１及び実施例２では、ラビリンス形状を備えた空気の経路が装置内部で発生した熱を外部に排出する排熱経路である場合について説明した。このような空気の経路としては、排熱経路に限らず、外部の温度が低い空気を装置内部に導く吸気経路であってもよい。吸気経路の場合も複数の空気の経路を設けることで、筐体の外部から内部に向かう空気の流量を確保することができ、空気の経路に複雑な形状を設けた構成であっても冷却効率を維持することができ、筐体内部の温度上昇を抑制しつつ音漏れを抑制することができる。
【００６６】
本実施形態では、カバー部材を備える筐体構造が画像形成装置の筐体である場合について説明したが、動作時に音を発生する音源部と、この音源部から発する音を吸音する吸音装置とを備える構成であれば画像形成装置以外の電子機器でも本発明は適用可能である。
さらに、電子機器に限らず、内部から外部への音漏れの抑制を求められる筐体構造であれば本発明の特徴部である隙間を形成する構成は適用可能である。
【００６７】
以上に説明したものは一例であり、本発明は、次の態様毎に特有の効果を奏する。
（態様Ａ）
筐体の内部と外部とを空間的に仕切る前面開閉カバー１２２及び右側面開閉カバー１３２等のカバー部材を備えるプリンタ１００の外装カバー及び内装カバー１等の筐体構造において、筐体の内部と外部とを繋ぎ、且つ、複数の屈曲部等の迂回部を有する第一経路Ｒ１及び第二経路Ｒ２等の気体の経路を複数形成し、この複数の気体の経路うちの二以上の気体の経路が、カバー部材の内部と外部とを連通する一つの外装カバー開口部５等の筐体開口部を介してカバー部材の外部と連通する。
これによれば、上記実施形態について説明したように、筐体の内部と外部とを繋ぐ気体の経路を介して空気等の気体の移動が可能であるため、筐体の内部に熱が篭ることを防止し、筐体内部の温度上昇を抑制することができる。また、この気体の経路が複数箇所の迂回部を有するような複雑な形状であることにより、筐体内部で発生し、気体の経路を通過して外部に向かおうとする音は複数回回折しないと筐体の外部に出ることはできない。複数回回折する際に音は小さくなるため、筐体の内部と外部とを繋ぐ気体の経路を設けた構成であってもこの気体の経路からの音漏れを抑制することができる。複数箇所の迂回部を有する複雑な形状では、気体の流れが通過し難く流量が減少するが、気体の経路を複数とすることで、筐体の内部から外部に向かう気体の流量を確保することができる。これにより、気体の経路に複雑な形状を設けた構成であっても排熱効率を維持することができる。さらに、複数の気体の経路のうちの二以上の気体の経路が筐体の外部と連通する筐体開口部を一つとすることで、筐体の内部で発生した音が外部に漏れ出る筐体開口部を少なくでき、複数の気体の経路のそれぞれが個別の筐体開口部を介して外部と連通する構成よりも音漏れを抑制することができる。よって、態様Ａでは、カバー部材を備える筐体構造で、筐体内部の温度上昇を抑制しつつ音漏れを抑制することができる。
【００６８】
なお、迂回部は、直線的に結び得る気体の経路に設けた屈曲部または湾曲部であり、音が伝達する気体の経路を直線的に結ぶよりも遠回りさせる部分である。
図７は、第一経路Ｒ１及び第二経路Ｒ２の迂回部が湾曲部となっているプリンタ１００の前面開閉カバー１２２と右側面開閉カバー１３２との境目を上方から見た拡大水平断面図である。図７に示すように、第一経路Ｒ１及び第二経路Ｒ２が複数の湾曲部によってラビリンス形状を形成する構成であっても、筐体内部の温度上昇を抑制しつつ音漏れを抑制することができる。
【００６９】
（態様Ｂ）
態様Ａにおいて、第一経路Ｒ１及び第二経路Ｒ２等の二以上の気体の経路の少なくとも一つが、前面開閉カバー１２２及び右側面開閉カバー１３２等のカバー部材の内側に位置する内装カバー１等の内側部材とカバー部材との間の隙間に形成されている。
これによれば、上記実施形態について説明したように、ラビリンス形状等の複数の迂回部を有する気体の経路を形成するために、新たな部材を設ける必要が無く、気体の経路を設けるコストを抑制することができる。
【００７０】
（態様Ｃ）
態様Ｂにおいて、隙間を形成するカバー部材が本体フレーム等の筐体構造本体に固定される第一左側面カバー１１１、第二左側面カバー１１２、第三左側面カバー１１３及び第四左側面カバー１１４等の固定カバー部材である。
これによれば、上記実施形態について説明したように、開閉カバー部材よりも内側部材との位置精度を高めることができ、気体の経路の幅の誤差を小さくすることができる。
【００７１】
（態様Ｄ）
態様ＢまたはＣの何れかの態様において、隙間を形成するカバー部材の少なくとも一つが、開閉可能な前面開閉カバー１２２及び右側面開閉カバー１３２等の開閉カバー部材である。
これによれば、上記実施形態について説明したように、開閉カバー部材を開放することによって露出する内側部材との隙間に第一経路Ｒ１及び第二経路Ｒ２を形成することができ、これらの気体の経路を形成するために新たな部材を設ける必要がない。これにより、気体の経路を設けるコストを抑制することができる。
【００７２】
（態様Ｅ）
態様Ｂ乃至Ｄの何れかの態様において、内装カバー１等の内側部材との間に第一経路Ｒ１及び第二経路Ｒ２を形成する隙間を形成する前面開閉カバー１２２及び右側面開閉カバー１３２等のカバー部材を複数備え、隙間を形成するカバー部材のうちの二つが隣接して配置され、それぞれが開閉可能な開閉カバー部材であり、二つの開閉カバー部材はどちらからでも開閉が可能である。
これによれば、上記実施形態について説明したように、音漏れを抑制する効果を損なうことなく開閉カバー部材同士の境目の隙間を確保することができる。また、二つの開閉カバー部材はどちらからでも開閉が可能であることにより、複雑な形状の気体の経路を形成する構成であっても、使い勝手に悪影響を与えることを防止できる。
【００７３】
（態様Ｆ）
態様ＤまたはＥの何れかの態様において、前面開閉カバー１２２及び右側面開閉カバー１３２等の開閉カバー部材の閉鎖が完了した状態における開閉カバー部材の位置に対して、閉鎖時の押し込みによって移動し得る位置までの移動量である押し込み量よりも第一経路Ｒ１及び第二経路Ｒ２を形成する隙間が大きい。
これによれば、上記実施形態について説明したように、閉める動作によって閉鎖が完了した状態よりも開閉カバー部材が内側に入り込んだ場合であっても隙間を形成する部分で、内装カバー１等の内側部材と接触することを防止することができる。これにより、複雑な形状を有することによる音漏れ防止の効果を維持しつつ、開閉動作時に気体の経路となる隙間を形成するカバー部材と内側部材とが接触することに起因する破損の危険性を回避することができる。
【００７４】
（態様Ｇ）
態様Ｄ乃至Ｆの何れかの態様において、第一経路Ｒ１及び第二経路Ｒ２等の気体の経路を形成する隙間は、部品公差及び可動部のクリアランスのばらつきを許容する大きさである。
これによれば、上記実施形態について説明したように、部品公差や可動部のクリアランスが隙間を最も狭める条件となっていても、隙間によって形成される気体の経路から熱を逃がすことができ、筐体内部の温度上昇を抑制しつつ音漏れを抑制することができる。
【００７５】
（態様Ｈ）
態様Ａ乃至Ｇの何れかの態様において、前面開閉カバー１２２及び右側面開閉カバー１３２等のカバー部材の内側に位置し、その内部と外部とを空間的に仕切る内装カバー１等の内側カバー部材を有する。
これによれば、上記実施形態について説明したように、開閉カバー部材を開放しても、画像形成に用いる各装置が露出しない構成を実現出来る。
【００７６】
（態様Ｉ）
態様Ｈに記載の筐体構造において、内装カバー１等の内側カバー部材の内部と外部とを連通する第一内装開口部１１及び第二内装開口部１２等の内側カバー開口部を複数備え、複数の内側カバー開口部がそれぞれ異なる第一経路Ｒ１及び第二経路Ｒ２等の気体の経路を介して、前面開閉カバー１２２及び右側面開閉カバー１３２等のカバー部材の外部と連通する。
これによれば、上記実施形態について説明したように、内装カバー１の内側に熱が篭ることを防止し、内装カバー１の内部の温度上昇を抑制することができる。
【００７７】
（態様Ｊ）
態様ＨまたはＩの何れかの態様において、前面内装カバー１８及び右側面内装カバー１９等の内側カバー部材を複数備え、隣接する内側カバー部材同士の間にその内部と外部とを連通する隙間が形成され、第三経路Ｒ３等の二以上の気体の経路の少なくとも一つが、内側カバー部材同士の隙間に形成されている。
これによれば、上記実施例２について説明したように、装置の内部から外部に向かう空気等の気体の流量をより多く確保することができ、気体の経路にラビリンス形状等の複数の迂回部を有する形状を設けた構成であっても排熱効率を維持することができる。
【００７８】
（態様Ｋ）
態様Ｂ、ＣまたはＪの何れかの態様において、第一経路Ｒ１及び第二経路Ｒ２等の気体の経路を形成する隙間は、部品公差のばらつきを許容する大きさである。
これによれば、上記実施形態について説明したように、部品公差が隙間を最も狭める条件となっていても、隙間から熱を逃がすことができ、筐体内部の温度上昇を抑制しつつ音漏れを抑制することができる。
【００７９】
（態様Ｌ）
態様Ａ乃至Ｋの何れかの態様において、屈曲部等の迂回部が三箇所以上である。
これによれば、上記実施形態について説明したように、迂回部が二箇所のみのものよりも、隙間を通過して外部に出ようとする音の回折回数を増やすことができ、さらに音漏れを防止することができる。また、屈曲部が三箇所以上であることにより、第一経路Ｒ１及び第二経路Ｒ２等の気体の経路を形成する隙間を形成する部分の一部が変形しても回折する構造を維持することができ、音漏れを抑制する効果を維持することができる。
【００８０】
（態様Ｍ）
態様Ａ乃至Ｌの何れかの態様において、屈曲部等の迂回部が筐体開口部の近傍に設けられている。
これによれば、上記実施形態について説明したように、第一経路Ｒ１及び第二経路Ｒ２等の気体の経路における筐体の内部側の温度上昇を抑制することができる。
【００８１】
（態様Ｎ）
態様Ａ乃至Ｍの何れかの態様において、前面開閉カバー１２２と右側面開閉カバー１３２等のカバー部材を複数備え、外装カバー開口部５等の筐体開口部は、隣接するカバー部材同士の間に形成された隙間である。
これによれば、上記実施形態について説明したように、カバー部材同士の境目を外装カバー開口部５とし、装置内部から筐体開口部まで音が伝達する第一経路Ｒ１及び第二経路Ｒ２等の気体の経路が複数の迂回部を有する。このような構成により、装置内部の音が外部に漏れ出ることを抑制しつつ、筐体内部の熱を、気体の経路を通じて筐体開口部から逃がして、温度上昇を抑制することができる。また、カバー部材同士の境目となる部分を密閉することが不要となるので、製造コストの増加を抑制することができる。
【００８２】
（態様Ｏ）
態様Ａ乃至Ｎの何れかの態様において、第一経路Ｒ１及び第二経路Ｒ２等の気体の経路よりもの断面積よりも外装カバー開口部５等の筐体開口部の開口面積の方が大きい。
これによれば、上記実施形態について説明したように、気体の経路が合流する構成であっても、筐体開口部近傍で空気等の気体の流れが滞ることを抑制し、排熱効率を維持することができる。
【００８３】
（態様Ｐ）
動作時に音を発生する光書込ユニット２７や駆動装置等の音源装置と、音源装置を覆う外装カバー等の筐体とを備えたプリンタ１００等の電子機器において、筐体として、態様Ａ乃至Ｏの何れかの態様に係る筐体構造を用いる。
これによれば、上記実施形態について説明したように、電子機器の動作時に内部の温度が上昇することを抑制しつつ電子機器の動作時に生じる音が外部に漏れ出ることを抑制できる。
【００８４】
（態様Ｑ）
プリンタ１００等の電子写真方式の画像形成装置において、態様Ｐに係る電子機器の構成を備える。
これによれば、上記実施形態について説明したように、画像形成時に装置内部の温度が上昇することを抑制しつつ画像形成時に生じる音が外部に漏れ出ることを抑制できる。
【符号の説明】
【００８５】
１  内装カバー
５  外装カバー開口部
１０  感光体ユニット
１１  第一内装開口部
１２  第二内装開口部
１８  前面内装カバー
１９  右側面内装カバー
２０  テンションローラ
２１  二次転写ローラ
２２  中間転写ベルト
２３  現像ユニット
２４  感光体
２４Ｙ  イエロー用感光体
２５  帯電装置
２６  プロセスユニット
２６Ｙ  イエロー用プロセスユニット
２７  光書込ユニット
４０  定着装置
４１  給紙カセット
４２  給紙ローラ
４３  レジストローラ対
４５  定着ローラ
４５ａ  発熱源
４７  加圧ローラ
５１  上カバー軸部材
５６  上カバー
７１  ベルトクリーニング装置
７２  クリーニングバックアップローラ
７４  一次転写ローラ
７５  転写ユニット
７６  駆動ローラ
８０  トナー供給ローラ
８１  現像ローラ
８２  薄層化ブレード
８３  感光体クリーニング装置
８６  ホッパ部
８７  現像部
８８  アジテータ
１００  プリンタ
１１０  左側面カバー
１１１  第一左側面カバー
１１２  第二左側面カバー
１１３  第三左側面カバー
１１４  第四左側面カバー
１２０  前面カバー
１２１  前面上カバー
１２２  前面開閉カバー
１２２ａ  前カバー回動軸
１２２ｂ  前面開閉カバー第一突出部
１２２ｃ  前面開閉カバー第二突出部
１２３  前面下カバー
１３０  右側面カバー
１３１  右側面上カバー
１３２  右側面開閉カバー
１３２ａ  右側面カバー回動軸
１３２ｂ  右側面開閉カバー突出部
Ｌ  レーザー光
Ｒ１  第一経路
Ｒ２  第二経路
Ｒ３  第三経路
【先行技術文献】
【特許文献】
【００８６】
【特許文献１】特開２０１０−９７０３６号公報
【図１】
0006566291.tif 000002
【図２】
0006566291.tif 000003
【図３】
0006566291.tif 000004
【図４】
0006566291.tif 000005
【図５】
0006566291.tif 000006
【図６】
0006566291.tif 000007
【図７】
0006566291.tif 000008